(57)【要約】【課題】遮音性を向上させつつ床レベルが高くなるのを抑制できる床構造を提供する。【解決手段】上記床版１は、その縁部が支持部材５に支持されている。この支持部材５はコ型鋼５ａとＬアングル５ｂとからなる。上記コ型鋼５ａは縦配置で一方のフランジ部をＨ型鋼からなる梁２のウェブ２ａに例えば溶接によって固定されている。上記Ｌアングル５ｂは上記梁２の方向に沿って延設されており、その立上板部が上記コ型鋼５ａの他方のフランジ部に溶接によって固定されている。上記Ｌアングル５ｂの水平板部上には、上記床版１の縁部が防振ゴムを介して載せられており、上記床版１の上面位置は上記梁２の上面以下にある。【選択図】図１
2015063861.tif 000002
【特許請求の範囲】
【請求項１】
建物の梁に固定された支持部材と、上記支持部材によって支持される床版とを備えており、上記支持部材によって支持された上記床版の上面位置が上記梁の上面以下であることを特徴とする床構造。
【請求項２】
請求項１に記載の床構造において、上記支持部材に支持される上記床版の縁部が上記梁の上面を形成する張り出し部の下方に存在していることを特徴とする床構造。
【請求項３】
請求項１に記載の床構造において、上記支持部材に支持される上記床版の縁部が上記梁の上面を形成する張り出し部の下方に存在していないことを特徴とする床構造。
【請求項４】
請求項１〜請求項３のいずれか１項に記載の床構造において、上記床版を上記支持部材に固定する固定金具が上記床版に形成された貫通孔を利用して装着されることを特徴とする床構造。
【請求項５】
請求項１〜請求項３のいずれか１項に記載の床構造において、上記床版は波形状を有する板および当該板上に打設されたコンクリートからなり、上記コンクリートの上面位置が上記梁の上面以下とされることを特徴とする床構造。
【発明の詳細な説明】
【技術分野】
【０００１】
この発明は、遮音性を有する建物の床構造に関する。
【背景技術】
【０００２】
図７に床版１０１を用いた従来の床構造を示す。上記床版１０１は、プレストレストコンクリート版からなり、その縁部がＨ型鋼からなる梁１０２のフランジ上に支持されている。上記床版１０１の下面にはナット部が埋設されており、このナット部に螺合された金具１０３のボルトによって、上記床版１０１が上記梁１０２に固定される、また、上記床版１０１の下方には、胴差空間を介して天井１０４が構成されている。
【０００３】
また、特許文献１には、衝撃吸収材を保持板の一方の面部に該面に沿う二次元方向に所定の分散状態となるように配置して保持させたパネル状防振部材を用い、該パネル状防振部材を、衝撃吸収材を下にし、保持板同士を突き合わせ状態にするようにして基盤床面上に設置した後、該パネル状防振部材の保持板の上に床板を設置する構造が開示されている。
【先行技術文献】
【特許文献】
【０００４】
【特許文献１】特開２００９−２４９９９６号公報
【発明の概要】
【発明が解決しようとする課題】
【０００５】
しかしながら、上記床版１０１を用いた床構造では、遮音性能を向上させるために当該床版１０１を厚くすると、その分、床レベルが高くなり、天井高さや天井ふところ（胴差空間）等をそれまで通りに確保すれば建物全体の高さが高くなり、建物のコストが上昇するという問題が生じる。また、用途地域の関係で建築できないことがあるという問題がある。
【０００６】
また、上記特許文献１に開示されている構造では、床版の厚さを厚くすることによる床レベルの高さ上昇を抑制できているが、より一層抑制できるのが望ましい。
【０００７】
この発明は、上記の事情に鑑み、遮音性能を向上させつつ床レベルが高くなるのを抑制できる床構造を提供することを課題とする。
【課題を解決するための手段】
【０００８】
この発明の床版は、上記の課題を解決するために、建物の梁に固定された支持部材と、上記支持部材によって支持される床版とを備えており、上記支持部材によって支持された上記床版の上面位置が上記梁の上面以下に位置することを特徴とする。
【０００９】
上記の構成であれば、上記支持部材によって支持された上記床版の上面が上記梁の上面以下に位置するので、例えば上記床版の厚さを厚くして遮音性能を向上させつつ床レベルが高くなるのを抑制できる。或いは、現状の遮音性能を維持しつつ床レベルを低くすることもできる。
【００１０】
上記支持部材に支持される上記床版の縁部が上記梁の上面を形成する張り出し部の下方に存在してもよい。一方、上記支持部材に支持される上記床版の縁部が上記梁の上面を形成する張り出し部の下方に存在しないようにしてもよい。
【００１１】
上記床版を上記支持部材に固定する固定金具が上記床版に形成された貫通孔を利用して装着されるようにしてもよい。
【００１２】
また、上記床版は波形状を有する板および当該板上に打設されたコンクリートからなり、上記コンクリートの上面位置が上記梁の上面以下とされるようにしてもよい。
【発明の効果】
【００１３】
本発明であれば、遮音性能を向上させつつ床レベルが高くなるのを抑制できるなどの効果を奏する。
【図面の簡単な説明】
【００１４】
【図１】本発明の一実施形態に係る床構造を示した概略の断面図（ハッチングを一部省略している）である。
【図２】図１の床構造を示した概略の斜視図である。
【図３】図１の床構造における梁および支持部材を示した説明図である。
【図４】本発明の他の実施形態に係る床構造を示した概略の断面図（ハッチングを一部省略している）である。
【図５】図４の床構造における梁および支持部材を示した説明図である。
【図６】本発明の他の実施形態に係る床構造を示した概略の断面図（ハッチングを一部省略している）である。
【図７】従来の床構造を示した概略の断面図（ハッチングを一部省略している）である。
【発明を実施するための形態】
【００１５】
以下、この発明の実施の形態を添付図面に基づいて説明する。
図１、図２および図３に示しているように、この実施形態では、床版１はＡＬＣ（Autoclaved Light weight Concrete：発泡軽量コンクリート）版からなる。
【００１６】
上記床版１は、その縁部が支持部材５に支持されるように配置されている。上記支持部材５はコ型鋼（例えば６０×３０×３０×３．２ｍｍ溝型鋼）５ａとＬアングル（例えば６５×６５×５ｍｍ山型鋼）５ｂとからなる。上記コ型鋼５ａは縦配置されており、一方のフランジ部をＨ型鋼からなる梁（胴差、大梁、小梁）２のウェブ２ａに例えば溶接によって固定されている。また、上記コ型鋼５ａは例えば４５５ｍｍピッチで配置される。上記Ｌアングル５ｂは上記梁２の延設方向に沿って延設されており、その立上板部が上記コ型鋼５ａの他方のフランジ部に溶接によって固定されている。上記Ｌアングル５ｂの水平板部上には、上記床版１の縁部が防振ゴムを介して載せられており、上記床版１の上面は上記梁２の上面以下にある。また、上記Ｌアングル５ｂの水平板部は上記梁２の上フランジ（張り出し部）よりも室内側に位置しており、当該Ｌアングル５ｂに支持される上記床版１の縁部が上記梁２の上面を形成する上記上フランジの下方に存在しないようになっている。
【００１７】
上記床版１の縁側には鉛直方向に貫通する座ぐり穴付きの貫通孔１ａが形成されており、この貫通孔１ａに挿通された固定金具３によって、上記床版１が上記支持部材５に固定されている。この固定金具３の先端部は回動可能に構成されており、この先端部は上記上フランジの下面に対面した状態で螺子締め込みによって当該下面に圧接する（例えば、特許第４１７６２６３号参照）。また、上記床版１の下方には、胴差空間を介して天井４が構成されている。この天井４上には吸音性を有するロックウール４ａ等が設けられている。
【００１８】
上記床版１の厚さは例えば１００ｍｍとされるが、これに限るものではなく、一層の遮音性能を必要とする場合には、より厚くすることができる。この場合でも、上記床版１の上面位置は上記梁２の上面以下とされる。
【００１９】
上記床版１の上面および上記梁２の上フランジ上面には例えば厚さ２０ｍｍで均しモルタル層６が形成されている。さらに、上記均しモルタル層６上には、例えばゴム等からなる厚さ２０ｍｍの床上緩衝材７が左右方向に一定間隔をおいて配置されており、この床上緩衝材７上には例えば厚さ５０ｍｍのプレストレストコンクリート版８が敷設されている。そして、上記プレストレストコンクリート版８上には、例えば厚さ９ｍｍのパーチクルボード９が配置されており、このパーチクルボード９上に例えば厚さ１２ｍｍの防音フローリング１０が敷設されている。
【００２０】
上記の構成であれば、上記支持部材５によって支持された上記床版１の上面が上記梁２の上面以下に位置するので、例えば上記床版１の厚さを厚くして遮音性能を向上させつつ床レベルが高くなるのを抑制できる。或いは、現状の遮音性能を維持しつつ床レベルを低くすることもできる。
【００２１】
また、Ｌアングル５ｂに支持される上記床版１の縁部が上記梁２の上面を形成する上フランジ（張り出し部）の下方に存在しないので、上記床版１の長さは上記梁２の配置ピッチよりも短くなり、長さが長い床版に比べてその剛性が高められる。
【００２２】
また、上記貫通孔１ａに挿通された固定金具３によって、上記床版１が上記支持部材５に固定される構成であると、このような挿通形式で用いられる既存の固定金具を利用できることになり、コストの上昇を抑えることができる。
【００２３】
次に、図４および図５を用いて他の実施形態の床構造について説明していく。この実施形態の床構造で用いられている支持部材５１は、支持プレート５１ａと、水平プレート５１ｂと、補強プレート５１ｃとからなる。また、この実施形態ではＡＬＣからなる床版１Ａが用いられる。
【００２４】
上記支持プレート５１ａは下辺部が梁２の下フランジの張り出し幅と同程度の長さを有し上辺部が下フランジの突き出し幅よりも長い逆台形状を有している。そして、上記支持プレート５１ａの下辺部が上記下フランジに溶接固定され、上記支持プレート５１ａの垂直辺が上記梁２のウェブ２ａに溶接固定される。また、上記支持プレート５１ａは例えば４５５ｍｍピッチで配置される。上記水平プレート５１ｂは上記支持プレート５１ａの上辺部上に置かれ、当該上辺部に溶接固定される。上記補強プレート５１ｃは上記支持プレート５１ａの配置位置の上方側に配置されており、上記支持プレート５１ａとの間で上記水平プレート５１ｂを挟み込む。上記補強プレート５１ｃは上記梁２の上フランジとウェブ２ａと上記水平プレート５１ｂに溶接固定される。
【００２５】
この実施形態の床構造で用いられている上記床版１Ａは、上記補強プレート５１ｃ間に入り込む幅を有する。また、この床版１Ａは、上フランジ上に載せられるタイプの床版と同程度の長さを有しており、その縁部を上記梁２の上フランジの下方に位置させる。そして、上記床版１Ａが上記支持部材５１上に防振ゴムを介して支持された状態で上記床版１の上面は上記梁２の上面以下にある。
【００２６】
上記の床構造においても、上記支持部材５１によって支持された上記床版１Ａの上面が上記梁２の上面以下に位置するので、例えば上記床版１Ａの厚さを厚くして遮音性能を向上させつつ床レベルが高くなるのを抑制できる。或いは、現状の遮音性能を維持しつつ床レベルを低くすることもできる。
【００２７】
また、上記支持部材５１に支持される上記床版１Ａの縁部が上記梁２の上面を形成する上フランジの下方に存在するので、先の実施形態の床版１を用いる場合に比べて上記床版１Ａの縁側の空間部からの音漏れを生じにくくすることができる。
【００２８】
なお、以上の実施形態では、上記床版がＡＬＣからなる構造を採用したが、これに限らず、プレストレストコンクリート版（ＰＣ版）やプレキャストコンクリート版（ＰＣａ版）からなる構造を採用してもよい。また、上記床版に形成された貫通孔１ａに挿通された固定金具３によって、上記床版１が上記梁２に固定されたが、これに限らない。例えば、上記床版１の裏面に埋設されたナット部にクランプ部（固定金具）のボルト部を螺合し、上記ボルト部を締めつけることによって、上記クランプ部の爪部を上記梁２の上フランジ部の下面に圧接させて上記床版１を上記梁２に固定してもよい。
【００２９】
図６に他の実施形態の床構造を示す。この床構造で用いられている床版１Ｂは波形状を有するデッキプレート（例えば山高５０）１１および当該デッキプレート１１上に打設された厚さ５０ｍｍのコンクリート１２からなる。上記床版１Ｂは例えば焼抜き栓溶接によって上記支持部材５１の上記水平プレート５１ｂに固定される。そして、上記コンクリート１２の上面位置が上記梁２の上面以下となっている。
【００３０】
上記コンクリート１２上には、例えば、均しモルタル層６、床上緩衝材７、プレストレストコンクリート版８、パーチクルボード９および防音フローリング１０が設けられる。
【００３１】
上記図６の床構造においても、上記支持部材５１によって支持された上記床版１Ｂの上面（上記コンクリート１２の上面）が上記梁２の上面以下に位置するので、例えば上記床版１Ｂの厚さを厚くして遮音性能を向上させつつ床レベルが高くなるのを抑制できる。或いは、現状の遮音性能を維持しつつ床レベルを低くすることもできる。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１、１Ａ、１Ｂ      床版
１ａ    貫通孔
１１    デッキプレート
１２    コンクリート
２      梁
２ａ    ウェブ
３      固定金具
４      天井
５      支持部材
５１    支持部材
【図１】
2015063861.tif 000003
【図２】
2015063861.tif 000004
【図３】
2015063861.tif 000005
【図４】
2015063861.tif 000006
【図５】
2015063861.tif 000007
【図６】
2015063861.tif 000008
【図７】
2015063861.tif 000009